(57)【要約】【課題】  鹿や熊などによる樹木の剥皮被害を防ぐため、樹木の根元部に巻き付けられるネット部材が、経年変化により老朽化して地上に落下した際に、ゴミとしてのネット部材の回収作業を不要にすることを課題とする。【解決手段】  樹木Ｔの幹の根元部周面に巻き付けられるネット部材１が、ポリエチレンと同ポリエチレンに付加された光触媒としての二酸化チタンとで構成されることにより、経年変化に伴いネット部材１が崩壊する際に無害の物質となって土壌に吸収されるようになる。【選択図】          図１
2005095081.tif 000002
【特許請求の範囲】
【請求項１】
樹木の幹の根元部周面に巻き付けられるネット部材において、同ネット部材を構成する素材が、ポリエチレンと同ポリエチレンに付加された光触媒としての二酸化チタンとからなることを特徴とする、植林用剥皮被害防除具。
【請求項２】
上記ネット部材が、上下方向に延在する互いに平行な多数の縦紐と、同縦紐の相互間を斜め上に上昇する方向と斜め下に下降する方向とに交互に斜行して連結する多数の横紐とで構成されて、同ネット部材が上記樹木の幹の根元部周面に沿い周方向に弾性的に伸縮可能に設けられたことを特徴とする、請求項１に記載の植林用剥皮被害防除具。
【請求項３】
上記ネット部材が、ほぼ方形に形成されて、上記樹木の幹の根元部周面に巻き付けられた際に重なり合う端縁部の一方に、面ファスナーにおけるループ状の表面繊維を有する基板が装着されるとともに、上記の重なり合う端縁部の他方に、上記基板に対し着脱可能に設けられて同基板と共に面ファスナーを構成するフック状の表面繊維をそなえた離接板が装着されていることを特徴とする、請求項１または２に記載の植林用剥皮被害防除具。
【請求項４】
上記面ファスナーを構成する上記の基板および離接板が、いずれもポリエチレンと同ポリエチレンに練り込まれた光触媒としての二酸化チタンとからなることを特徴とする、請求項３に記載の植林用剥皮被害防除具。
【発明の詳細な説明】
【技術分野】
【０００１】
本発明は、植林事業において、樹木の幹の根元部周面の樹皮が鹿や熊などにより食い荒らされるのを防除できるようにした、植林用剥皮被害防除具に関する。
【背景技術】
【０００２】
従来、植林用剥皮被害防除手段として、樹木の幹の根元部周面にネットを巻き付け、同ネットに鹿などの接近を妨げるための風船を取付けるようにしたものが開発されている。  しかしながら、このような手段では、時間の経過とともにネットや風船が老朽化してゴミとなり、その回収に手間が掛かるという不具合がある。
【非特許文献１】特開２０００−１８９０３５号公報
【発明の開示】
【発明が解決しようとする課題】
【０００３】
解決しようとする問題点は、樹木の成長につれて、同樹木の幹の根元部周面に巻き付けられた剥皮被害防止のためのネット部材が老朽化し、地面に落下した際にゴミとなって、その回収が必要になるということである。
【課題を解決するための手段】
【０００４】
本発明の植林用剥皮被害防除具では、鹿や熊などによる剥皮の被害を防ぐため樹木の幹の根元部周面に巻き付けられるネット部材の材質を、経年変化により土壌化されるように、ポリエチレンと光触媒としての二酸化チタンとで構成することを最も主要な特徴とする。
【発明の効果】
【０００５】
本発明の植林用剥皮被害防除具では、樹木の幹の根元部に装着される剥皮被害防止用のネット部材の材質が、ポリエチレンと同ポリエチレンに付加された光触媒としての二酸化チタンとで構成されることにより、長期にわたる太陽光の照射に伴うネット部材の変質と、樹木の成長に伴う上記ネット部材の張力の増大と相まって、同ネット部材が地上に崩れ落ち、無害の物質となって土壌に吸収されるので、従来のようなゴミとしての回収が不要になる。
【発明を実施するための最良の形態】
【０００６】
樹木の幹の根元部周面に巻き付けられるネット部材の材質のみならず、同ネット部材の両端縁部を相互に重ね合わせて閉じる面ファスナーの材質も、ポリエチレンと同ポリエチレンに練り込まれる光触媒としての二酸化チタンとで構成することにより、樹木への上記ネット部材の装着を上記面ファスナーによりワンタッチで行えるようにしながら、樹木の成長に見合う経年変化に伴って、本防除具の土壌化を都合よく実現できるようにした。
【実施例】
【０００７】
図１は本発明の１実施例としての植林用剥皮被害防除具の使用状態を示す立面図であって、植林事業において山腹に植えられた多数の樹木Ｔの幹の根元部周面に、ネット部材１が巻き付けられるようにして用いられるものである。
【０００８】
ネット部材１は、図２に示すように、上下方向に延在する互いに平行な多数の縦紐１ｖと、同縦紐１ｖの相互間を斜め上に上昇する方向と斜め下に下降する方向とに交互に斜行して連結する多数の横紐１ｈ，１ｊとで構成されていて、周方向に引張されると、図３に示すごとく各横紐１ｈ，１ｊがほぼ平行になるように変形することにより、ネット部材全体として横方向に弾性的に伸縮できるようになっている。
【０００９】
そして、ネット部材１を構成する素材は、ポリエチレンと同ポリエチレンに付加された光触媒としてのアナターゼ型二酸化チタンとからなり、林野において豊富な太陽光を受けると、経年変化により分解して、無害の物質となり、土壌に吸収されるものである。
なお、上記素材について、二酸化チタンをポリエチレンに付加する手段としては、繊維原料としてのポリエチレンに二酸化チタンを練り込むか、またはポリエチレン製のネット部材に二酸化チタンを塗布したり吹き付けたりすることによって行われる。
【００１０】
ネット部材１は、ほぼ方形に形成されて、図１に示すように樹木の幹Ｔの根元部周面に巻き付けられた際に重なり合う端縁部１ａ，１ｂの相互間に、面ファスナーＦを備えている。この面ファスナーＦは、図４に示すごとく、ネット部材１の重なり合う端縁部１ａ，１ｂの一方１ａに装着されたループ状の表面繊維２ｆを有する基板２と、他方の端縁部１ｂに装着されたフック状の表面繊維３ｆを有する離接板３とで構成されており、これらの基板２および離接板３は、いずれもポリエチレンと同ポリエチレンに練り込まれた光触媒としてのアナターゼ型二酸化チタンとで構成される。
【００１１】
上述の本実施例の植林用剥皮被害防除具では、熊や鹿などによる剥皮被害を防止するため、樹木Ｔの幹の根元部に装着されるネット部材１の材質が、ポリエチレンと同ポリエチレンに練り込まれた光触媒としての二酸化チタンとで構成されることにより、長期にわたる太陽光の照射に伴うネット部材１の分解変質と、樹木Ｔの成長に伴うネット部材１の張力の増大と相まって、同ネット部材１が地上に崩れ落ち、無害の物質となって、土壌に吸収されるので、従来のようなゴミとしての回収が不要になる。
【００１２】
また、樹木Ｔの幹の根元部周面に巻き付けられるネット部材１の材質のみならず、同ネット部材１の両端縁部を相互に重ね合わせて閉じる面ファスナーＦの材質も、ポリエチレンと同ポリエチレンに練り込まれる光触媒としての二酸化チタンとで構成することにより、樹木Ｔへのネット部材１の装着をワンタッチで行えるようにしながら、樹木Ｔの成長に見合う経年変化に伴って、本防除具の土壌化が都合よく実現できるようになる。
【産業上の利用可能性】
【００１３】
本発明の光触媒を含むネット部材は、製材の際の樹皮屑や落葉を掻き集めたものなどに対する散乱防止用の覆いとしても用いることができ、これらはすべて経年変化により土壌に帰するので、公害防止に役立つことができる。
また、上記ネット部材は、苗木や野菜の畑などにおいて、鳥類，ネズミなどに対する防除具としても用いることができる。
【図面の簡単な説明】
【００１４】
【図１】本発明の一実施例としての植林用剥皮被害防除具の使用状態を示す立面図である。
【図２】図１のＡ部におけるネット部材を拡大して示す説明図である。
【図３】図２のネット部材の引張による変形状態を示す説明図である。
【図４】図１のＢ−Ｂ断面拡大図である。
【符号の説明】
【００１５】
１  ネット部材
１ａ，１ｂ  ネット部材端縁部
１ｈ，１ｊ  横紐
１ｖ  縦紐
２  基板
２ｆ  ループ状表面繊維
３  離接板
３ｆ  フック状表面繊維
Ｆ  面ファスナー
Ｔ  樹木
【図１】
2005095081.tif 000003
【図２】
2005095081.tif 000004
【図３】
2005095081.tif 000005
【図４】
2005095081.tif 000006